(57)【要約】【課題】市販されている簡易型のパソコンを市販されているＶＥＳＡ規格のディスプレーの背面に搭載してディスプレー付きのパソコンを構成する。【解決手段】液晶ディスプレーに対してアームなどを取り付ける際のＶＥＳＡ規格に合致した螺子孔間隔を有した背面取り付け板を介してスタンドに取り付けられた液晶モニタに対して、上記背面取り付け板の螺子孔間隔と同じ螺子孔間隔を有したマウンタ部材を取り付け、該マウンタ部材にＣＰＵを搭載した簡易コンピュータをマウントし、該簡易コンピュータのＣＲＴ／ＬＣＤモニタ接続端子と前記液晶ディスプレーとを接続する。【選択図】図１
2007102746.tif 000002
【特許請求の範囲】
【請求項１】
液晶ディスプレーの背面に簡易コンピュータを機械的な固定手段によりマウントし、該簡易コンピュータのＣＲＴ／ＬＣＤモニタ接続端子と前記液晶ディスプレーとを接続したことを特徴とする液晶ディスプレーの背面に簡易コンピュータをマウントしたパソコン。
【請求項２】
液晶ディスプレーに対してアームなどを取り付ける際のＶＥＳＡ規格に合致した螺子孔間隔を有した背面取り付け板を介してスタンドに取り付けられた液晶モニタに対して、上記背面取り付け板の螺子孔間隔と同じ螺子孔間隔を有したマウンタ部材を取り付け、該マウンタ部材にＣＰＵを搭載した簡易コンピュータをマウントし、該簡易コンピュータのＣＲＴ／ＬＣＤモニタ接続端子と前記液晶ディスプレーとを接続したことを特徴とする液晶ディスプレーの背面に簡易コンピュータをマウントしたパソコン。
【請求項３】
前記マウンタ部材は、断面が略コの字状の部材で構成され、前記液晶ディスプレー側の螺子止め面、それと対向する側のパソコン押さえ面及び下側のパソコン支承面とから構成されていることを特徴とする請求項２記載の液晶ディスプレーの背面に簡易コンピュータをマウントしたパソコン。
【請求項４】
前記マウンタ部材のパソコン押さえ面は、前記螺子止め面に対して多少内側に弾性的に傾斜して構成し、マウントするパソコンを該パソコン押さえ面の弾性力で保持するように構成することを特徴とする請求項３記載の液晶ディスプレーの背面に簡易コンピュータをマウントしたパソコン。
【請求項５】
前記簡易コンピュータは、ＣＲＴ／ＬＣＤモニタ接続端子の他に、イーサネット（登録商標）接続用端子（ＲＪ４５コネクタ）及び複数のＵＳＢポートを設けたことを特徴とする請求項２乃至請求項４の内の一つの請求項に記載の液晶ディスプレーの背面に簡易コンピュータをマウントしたパソコン。
【請求項６】
液晶ディスプレーの背面に簡易コンピュータをマジックテープ（登録商標）によりマウントし、該簡易コンピュータのＣＲＴ／ＬＣＤモニタ接続端子と前記液晶ディスプレーとを接続したことを特徴とする液晶ディスプレーの背面に簡易コンピュータをマウントしたパソコン。
【請求項７】
液晶ディスプレーに対してアームなどを取り付ける際のＶＥＳＡ規格に合致した螺子孔間隔を有した背面取り付け板を介してスタンドに取り付けられた液晶モニタに対して、上記背面取り付け板の螺子孔間隔と同じ螺子孔間隔を有したマウンタ部材を取り付け、該マウンタ部材にＣＰＵを搭載した簡易コンピュータをマウントし、該簡易コンピュータのＣＲＴ／ＬＣＤモニタ接続端子と前記液晶ディスプレーとを接続することを特徴とした液晶ディスプレー付パソコンを組み上げる方法。
【請求項８】
液晶ディスプレーに対してアームなどを取り付ける際のＶＥＳＡ規格に合致した螺子孔間隔を有した背面取り付け板を介してスタンドに取り付けられた液晶モニタに対して、該液晶ディスプレーを取り付けている螺子を取り外し、上記背面取り付け板の螺子孔間隔と同じ螺子孔間隔を有したマウンタ部材を取り付け、該マウンタ部材にＣＰＵを搭載した簡易コンピュータをマウントし、該簡易コンピュータのＣＲＴ／ＬＣＤモニタ接続端子と前記液晶ディスプレーとを接続することを特徴とした液晶ディスプレー付パソコンを組み上げる方法。
【請求項９】
液晶ディスプレーに対してアームなどを取り付ける際のＶＥＳＡ規格に合致した螺子孔間隔を有した背面取り付け板を介してスタンドに取り付けられた液晶モニタに対して、該液晶ディスプレーを取り付けている螺子を取り外し、上記背面取り付け板の螺子孔間隔と同じ螺子孔間隔を有したマウンタ部材を取り付け、該簡易コンピュータのＣＲＴ／ＬＣＤモニタ接続端子と前記液晶ディスプレーとを接続し、該マウンタ部材にＣＰＵを搭載した簡易コンピュータをマウントすることを特徴とした液晶ディスプレー付パソコンを組み上げる方法。
【発明の詳細な説明】
【技術分野】
【０００１】
本発明は液晶ディスプレーの背面に簡易コンピュータを機械的な固定手段によりマウントしたパソコンに関する。
【０００２】
さらに、本発明は液晶ディスプレーの背面に簡易コンピュータをマウントしたパソコンに関し、特に、該簡易コンピュータをＶＥＳＡ規格に沿って液晶ディスプレーの背面にマウントしたパソコンに関する。また、本発明はそのパソコンの組み上げの方法にも関する。
【０００３】
さらに、本発明は液晶ディスプレーの背面に簡易コンピュータをマウントしたパソコンであって、該簡易コンピュータをマジックテープ（登録商標）によって液晶ディスプレーの背面にマウントしたパソコンに関する。
【背景技術】
【０００４】
通常パソコンと呼称されるコンピュータは、デスクトップ型の場合には、従来、マイコンを搭載したマザーボード（いくつかのマザーボード規格があるが、一番小さいもので９．０インチ（２２９ｍｍ）×７．５インチ（１９１ｍｍ）（ＦｌｅｘＡＴＸ）で、大きなものとなると１２．０インチ（３０５ｍｍ）×１３．０インチ（３３０ｍｍ）（ＡＴ）である）と呼ばれる基板とハードディスクやＤＶＤ・ＣＤＲＯＭ等のドライブ装置を備えたＣＰＵと称される大きな箱体と、１５インチから１９インチ程度のモニタと、キーボードとから構成されるのが普通である。このようなデスクトップ型コンピュータでは、キーボードがなくても良いという発想が薄く、且つまた、大きくて重いＣＰＵをモニタの背中にマウントしてしまおうという発想は全く出てこなかった。
【０００５】
しかしながら、最近になって、特定のアプリケーションプログラムを実行する機能に限定した機器組込み用にカスタマイズされ、ＯＳとしてはウインドウズＸＰが搭載されたインテリジェント端末と呼ばれる簡易型のパソコンが知られるようになってくると、パソコン本体をモニタの背中にマウントしてしまおうという発想は出てこなくもない。非特許文献１には、上記インテリジェント端末の一つの形態のモデュラーコンピュータ（Ｍｏｄｕｌａｒ  Ｃｏｍｐｕｔｅｒ）が提案されている。本願において簡易コンピュータとは、これらのインテリジェント端末のことを意味した用語として用いる。
【０００６】
このモデュラーコンピュータの概要は、図７に示すとおりである。図７は上記非特許文献１に開示されたインテリジェント端末機のシステムブロック図の概要を示す。同図に示したように、本システムは以下の特徴を備えている。
（ａ）Ｉ／Ｏ機能については特に搭載するコネクタの種類を限定することで、基板の横幅と高さ方向の寸法を小さく構成している（奥行き方向の長さは、所謂基板上に実装するＩＣ等の部品点数で決まり、横幅と高さは搭載するコネクタ部品の個々の形状・寸法と数量で一義的に決定される）。
（ｂ）搭載する外部記憶デバイスは静止型のメデイアに限定することで、保守性、信頼性の向上を狙っている。
（ｃ）冷却用の回転ファンを用いない部材のみを採用してシステムを設計することで、省電力、小型化、工業仕様用途（温度５℃〜５５℃、等）対応している。
（ｄ）パソコンとしての使い勝手は汎用機と同等とする代わりに、用途を限定して、民生用と一味違ったものの実現を狙っている。
【０００７】
以上の観点で設計された基本要素概要は以下の通りである。放熱用のフィンを取り付け自然冷却のＣＰＵおよび、動作クロック生成部１、オンボード実装されたＲＡＭ（２５６ＭＢ）２、Ｉ／Ｏデバイスを制御するコンパニオンチップ３、ＬＡＮ接続制御用のイーサネット（登録商標）コントロールチップ４、音声入出力用のオーデイオチップ５、システムＢＩＯＳを格納するＲＯＭ６、ＯＳ及びアプリケーションプログラム格納用のコンパクトフラッシュ（登録商標）メモリーカード７、システムボード上で必要となる電源を供給するためのＤＣ／ＤＣコンバータ（電源制御部）８、交流電源から直流電源を作る外付けのＡＣ／ＤＣアダプタ９とＣＰＵである。これらをシステムボード（マザーボード）上に搭載し、かつ外部接続のＩ／Ｏ機器とインタフェイスするコネクタ部としては以下を搭載することで所望のシステムを実現することが出来る。
【０００８】
さらに外部とのインタフェイスとしては、電源ＳＷと表示インジケータ（ＬＥＤランプ）、マイクとスピーカ接続端子、４ポート分のＵＳＢコネクタ（ＵＳＢ２ポート×２個）、ＲＪ４５コネクタ（イーサネット（登録商標）接続用端子）及びミニＤ−Ｓｕｂ１５ピンコネクタ（ＣＲＴ／ＬＣＤモニタ接続端子）を備えている。
【０００９】
一方、一般にＶＥＳＡ規格と呼ばれている規格に、液晶ディスプレーとアームなどを取り付ける規格ＦＰＭＰＭＩ(Flat Panel Monitor Physical Mounting Interface)があり、７５ｍｍ×７５ｍｍ及び１００ｍｍ×１００ｍｍの二つの規格が定められている。非特許文献２に、その規格に合致した「取り付け可能な各メーカーのＶＥＳＡ規格ディスプレー」が挙げられている。
【００１０】
【非特許文献１】http:／／www.dtresearch.com／datasheets／DT166CE.pdf
【非特許文献２】http:／／www.pageone.co.jp／p2／vesa.html
【発明の開示】
【発明が解決しようとする課題】
【００１１】
本発明が解決しようとする課題は、市販されている簡易型のパソコンを市販されているディスプレーの背面に対して機械的な固定手段により搭載してディスプレー付きのパソコンを構成することである。
【００１２】
本発明が解決しようとする課題は、市販されている簡易型のパソコンを市販されているＶＥＳＡ規格のネジ孔が設けられたディスプレーの背面に搭載するか、マジックテープ（登録商標）により接合してディスプレー付きのパソコンを構成することである。
【００１３】
特に、上記ＶＥＳＡ規格に合致した搭載用アダプタにより容易に簡易型パソコンをディスプレーの背面に搭載してディスプレー付きのパソコンを構成することである。
【課題を解決するための手段】
【００１４】
本発明の液晶ディスプレーの背面に簡易コンピュータをマウントしたパソコンは、液晶ディスプレーの背面に簡易コンピュータを機械的な固定手段によりマウントし、該簡易コンピュータのＣＲＴ／ＬＣＤモニタ接続端子と前記液晶ディスプレーとを接続したことを特徴とする。
【００１５】
簡易コンピュータのシステムマザーボード及び筐体寸法の小型化の実現により、モニタ機器の取り付け規格であるＶＥＳＡ取り付け規格（７５ｍｍ×７５ｍｍ或いは１００ｍｍ×１００ｍｍの４点固定方式での取り付け方式）によって簡易コンピュータを簡単にモニタ機器の背面に取り付けられるようにした。
【００１６】
本発明の液晶ディスプレーの背面に簡易コンピュータをマウントしたパソコンは、液晶ディスプレーに対してアームなどを取り付ける際のＶＥＳＡ規格に合致した螺子孔間隔を有した背面取り付け板を介してスタンドに取り付けられた液晶モニタに対して、上記背面取り付け板の螺子孔間隔と同じ螺子孔間隔を有したマウンタ部材を取り付け、該マウンタ部材にＣＰＵを搭載した簡易コンピュータをマウントし、該簡易コンピュータのＣＲＴ／ＬＣＤモニタ接続端子と前記液晶ディスプレーとを接続したことを特徴とする。
【００１７】
本発明の液晶ディスプレーの背面に簡易コンピュータをマウントしたパソコンは、前記マウンタ部材の断面が略コの字状の部材で構成され、前記液晶ディスプレー側の螺子止め面、それと対向する側のパソコン押さえ面及び下側のパソコン支承面とから構成されていることを特徴とする。
【００１８】
本発明の液晶ディスプレーの背面に簡易コンピュータをマウントしたパソコンは、前記マウンタ部材のパソコン押さえ面が前記螺子止め面に対して多少内側に弾性的に傾斜して構成され、マウントするパソコンを該パソコン押さえ面の弾性力で保持するように構成することを特徴とする。
【００１９】
本発明の液晶ディスプレーの背面に簡易コンピュータをマウントしたパソコンは、前記簡易コンピュータがＣＲＴ／ＬＣＤモニタ接続端子の他に、イーサネット（登録商標）接続用端子（ＲＪ４５コネクタ）及び複数のＵＳＢポートを設けたことを特徴とする。
【００２０】
本発明の液晶ディスプレーの背面に簡易コンピュータをマウントしたパソコンは、液晶ディスプレーの背面に簡易コンピュータをマジックテープ（登録商標）によりマウントし、該簡易コンピュータのＣＲＴ／ＬＣＤモニタ接続端子と前記液晶ディスプレーとを接続したことを特徴とする。
【００２１】
本発明の液晶ディスプレー付パソコンを組み上げる方法は、液晶ディスプレーに対してアームなどを取り付ける際のＶＥＳＡ規格に合致した螺子孔間隔を有した背面取り付け板を介してスタンドに取り付けられた液晶モニタに対して、上記背面取り付け板の螺子孔間隔と同じ螺子孔間隔を有したマウンタ部材を取り付け、該マウンタ部材にＣＰＵを搭載した簡易コンピュータをマウントし、該簡易コンピュータのＣＲＴ／ＬＣＤモニタ接続端子と前記液晶ディスプレーとを接続することを特徴とする。
【００２２】
本発明の液晶ディスプレー付パソコンを組み上げる方法は、液晶ディスプレーに対してアームなどを取り付ける際のＶＥＳＡ規格に合致した螺子孔間隔を有した背面取り付け板を介してスタンドに取り付けられた液晶モニタに対して、該液晶ディスプレーを取り付けている螺子を取り外し、上記背面取り付け板の螺子孔間隔と同じ螺子孔間隔を有したマウンタ部材を取り付け、該マウンタ部材にＣＰＵを搭載した簡易コンピュータをマウントし、該簡易コンピュータのＣＲＴ／ＬＣＤモニタ接続端子と前記液晶ディスプレーとを接続することを特徴とする。
【００２３】
本発明の液晶ディスプレー付パソコンを組み上げる方法は、液晶ディスプレーに対してアームなどを取り付ける際のＶＥＳＡ規格に合致した螺子孔間隔を有した背面取り付け板を介してスタンドに取り付けられた液晶モニタに対して、該液晶ディスプレーを取り付けている螺子を取り外し、上記背面取り付け板の螺子孔間隔と同じ螺子孔間隔を有したマウンタ部材を取り付け、該簡易コンピュータのＣＲＴ／ＬＣＤモニタ接続端子と前記液晶ディスプレーとを接続し、該マウンタ部材にＣＰＵを搭載した簡易コンピュータをマウントすることを特徴とする。
【発明の効果】
【００２４】
本発明は、以上のような構成により、市販された液晶ディスプレーに対して簡易コンピュータを容易に機械的にマウントすることができ、限定された機能であっても十分にパソコンとしての用途を満足できるものである。
【００２５】
本発明は、簡易コンピュータが可動部分を備えていないがゆえに、使用環境の温度条件が厳しくなく、どこでも簡単に液晶ディスプレー付のパソコンを提供することが可能である。
【００２６】
本発明は、ＶＥＳＡ規格に合致したマウンタ部材を用いることにより、いずれの市販の液晶ディスプレーに対しても液晶ディスプレー付のパソコンが構成できるものである。
【００２７】
本発明の方法を実施することにより、市販品の液晶ディスプレーとインテリジェント端末から簡単に液晶ディスプレー付のパソコンを組み上げることが可能である。
【発明を実施するための最良の形態】
【００２８】
以下、図面を用いて本発明の実施例について説明する。図８は従来の液晶ディスプレー９０を背面から見た図であり、該液晶ディスプレー９０は７５ｍｍ×７５ｍｍ或いは１００ｍｍ×１００ｍｍのＶＥＳＡ規格に沿った取り付け部材９１を介してスタンド９２に取り付けられ、机上に立てて置くことが可能な構成となっている。取り付け部９１とスタンド９２とは枢支部９３を介して操作者に対して前後に傾動可能な構成とされている。９４は該液晶ディスプレー９０に画像信号を伝えるためのプラグである。
【００２９】
本発明の具体的実施例は、使用例を図１及び図２に示すように、従来の７５ｍｍ×７５ｍｍ或いは１００ｍｍ×１００ｍｍのＶＥＳＡ規格に沿った取り付け部材９１（図１で図示）の上方の２個の取り付け螺子孔９５、９５（図２参照）を用いてマウンタ部材１０を螺子止めして、マウンタ部材１０に対してインテリジェント端末と呼ばれる簡易型のパソコン５０をマウントし、同時にスタンド９２を取り付けられるようにしたものである。
【００３０】
本発明のマウンタ部材１０は、その詳細を図２及び図３に示すように、断面が略コの字状の部材で構成されており、該液晶ディスプレー９０側の螺子止め面１１、それと対向する側のパソコン押さえ面１２及び下側のパソコン支承面１３とから構成されている。このマウンタ部材１０においては、単にコの字状とするだけではなく、図３に示すように、パソコン押さえ面１２を螺子止め面１１に対して多少内側に弾性的に傾斜して構成し、マウントするパソコン５０をパソコン押さえ面１２の弾性力で強固に保持するように構成する（図３の一点鎖線の状態を参照）と更に効果が期待できる。この場合に、該パソコン押さえ面１２の上端部を湾曲部１４として構成して、マウントするパソコン５０に傷をつけないようにすることが考えられる。このような構成にすることにより、マウンタ部材１０のサイズ（コの字状部材の厚さ方向のサイズ）をマウントすべきパソコンの厚みサイズ（一般的には３０ｍｍ程度）を厳しく考慮することなく３０ｍｍから４０ｍｍ程度にして製作しておけばよい。
【００３１】
本発明の図１乃至図３に示す実施例においては、市販される液晶ディスプレー９０の背面に突出したスタンド９２の枢支部９３が存在したとしても、それに邪魔されることなくパソコン５０をマウントすることが可能なものである。またパソコン押さえ面１２の取り付け螺子孔９５、９５に対応した位置に螺子締め用の開口部１５、１５を設けることにより螺子閉めの容易性を達成することが可能である。
【００３２】
通常の市販されている液晶ディスプレー９０の背面は、図１乃至図３に示す実施例のように、液晶ディスプレー９０の背面に突出したスタンド９２の枢支部９３が存在しているタイプもあれば、特に突出部はなく平面的なＶＥＳＡ規格の取り付け面が露出しただけのタイプもある。このような平面的な背面を持った液晶ディスプレー９０の場合であっても、図１乃至図３で示した実施例のものは適用可能であるが、これに限ることがないことは極めて容易に判断できる。つまり、４本の螺子止め孔を用いた構成とすることが可能である。
【００３３】
ここで、本発明の別の実施例として、４本の螺子止め孔を用いた構成のものを図４及び図５で説明する。
【００３４】
図４に示す実施例は、液晶ディスプレー９０の背面の取り付け部９１が略平面状を呈するものであり、その左右２本づつの螺子止め孔を用いてマウンタ部材２０を構成している。該マウンタ部材２０は、２個のマウンタユニット部材２１、２１から成り、各々のマウンタユニット部材２１は、断面が略Ｚ字形状を呈しており、液晶ディスプレー９０側の螺子止め面２３、立ち上がり面２４及びパソコン支持面２５とから構成されている。マウンタユニット部材２１に対するパソコン５０の支持方法は螺子止めによるものが簡単であるが適宜別方式によることは発明力を要することなく極めて容易に実施できるものである。
【００３５】
また、図４に示す実施例は、２個のマウンタユニット部材２１、２１を設けたものとして説明しているが、図５に示すようにマウンタユニット部材２９を一つの部材として構成することも容易に可能である。
【００３６】
以上のように、図４及び図５の実施例の場合は、立ち上がり面２４によりパソコン５０を液晶ディスプレー９０の背面から所定の距離をもって配置することが出来るので熱源としての液晶ディスプレー９０の放熱に支障をきたすこともない効果を奏するものである。
【００３７】
図６を用いて、さらに別の実施例を説明する。図６には略箱型のマウンタ部材３０が示されており、該箱型のマウンタ部材３０は液晶ディスプレー９０側の螺子止め面３１、立ち上がり面３２、３２、パソコン支持面３３、３３及び底面のパソコン支承舌状部片３４とから構成されている。螺子止め面３１にはＶＥＳＡ規格に合致した寸法で螺子３５、３５、３５、３５のための螺子孔が形成されている。パソコン支承舌部３４を図示のような形状としている理由は、マウントされるパソコン５０のインタフェイスのための空間を開ける目的であり、そのために舌状にする必要がなければ、もう少し大きな面積の部片でパソコン５０を支承することは何ら問題ない。またパソコン支持面３３、３３の取り付け螺子孔９５、９５に対応した位置に螺子締め用の開口部３６、３６を設けることにより螺子閉めの容易性を達成することが可能である。
【００３８】
個々の実施例において特に説明をしなかったが、各マウンタ部材１０、２０又は３０は、その液晶ディスプレー９０側の螺子止め面１１、２１又は３１にはＶＥＳＡ規格に合致した螺子止め孔が７５ｍｍ或いは１００ｍｍ間隔で設けられている。これにより、市販の液晶ディスプレー９０の背面を用いて簡易型のコンピュータを極めて容易にマウントし、ディスプレー付きコンピュータを構成することが可能である。
【００３９】
螺子止め面１１、２１又は３１の螺子止め孔は、螺子の頭がマウンタ部材のパソコン搭載側の面に飛び出さないようにエンボス加工された凹部に形成することが望ましい。さらに、パソコン支持面３３、３３の取り付け螺子孔９５、９５に対応した位置に螺子締め用の開口部３６、３６は二つ別々に形成する必要はなく、一体の長円形で構成しても良い。これは他の実施例においても同様である。
【００４０】
市販の液晶ディスプレー９０の背面には、図９に示すように、ビスが取り付いておらず、スタンド等を取り付けるためのビスが取り付けられるビス孔９５、９５・・・が設けられているタイプのものもある。この場合は、当然のことながら、組み立ての工程においては、ビスを取り外す工程は不要である。
【００４１】
図１０に示すものは、液晶ディスプレー９０の背面に簡易コンピュータを取り付けるマウンタ部材２０に、ＶＥＳＡ規格に合致した螺子止め孔が７５ｍｍ及び１００ｍｍ間隔で夫々設けられているものである。これにより、マウンタ部材２０を２種類揃える必要がない。
【００４２】
図１１に示すものは、簡易コンピュータを取り付けるマウンタ部材１０を液晶ディスプレー９０の背面に対してマジックテープ（登録商標）６０、６０により取り付けたものである。なお、数字６１、６１で示すものは各マジックテープ（登録商標）６０、６０を液晶ディスプレー９０の背面及びマウンタ部材１０に対して接着するための両面接着テープである。図１２及び図１３は、簡易コンピュータをマジックテープ（登録商標）６０、６０で直接液晶ディスプレー９０の背面に対して取り付けた際の液晶ディスプレー９０の背面図であり、図１３は、その詳細図である。このような構成により特別な工程を経ずしても、液晶ディスプレーの背面に簡易コンピュータを搭載したパソコンが容易に構成できるものである。
【００４３】
図１４は、簡易コンピュータ５０をワンタッチ式に取り付けることのできるマウンタ部材７０を示しており、このマウンタ部材７０は、その一方の側面に簡易コンピュータ５０の一端部を受け止めるための係止部７１を切り起しており、他方の側面には、簡易コンピュータ５０を弾性的に係止部７１側に押し付ける弾性ばね力を持った爪部７２、７２が形成されている。これにより、簡易コンピュータ５０の一端部をマウンタ部材７０の係止部７１に押し当てながら爪部７２、７２の弾性力に抗して押し込むことで、簡易コンピュータ５０はワンタッチで簡単に押し込むことができる。
【図面の簡単な説明】
【００４４】
【図１】本発明の液晶ディスプレーの背面に簡易コンピュータをマウントしたパソコンの背面図である。
【図２】本発明の液晶ディスプレーの背面に簡易コンピュータをマウントしたパソコンの簡易コンピュータを取り外した状態の背面図である。
【図３】本発明のマウンタ部材の断面詳細図である。
【図４】本発明の別の実施例の液晶ディスプレーの背面に簡易コンピュータをマウントしたパソコンの背面図である。
【図５】本発明の別の実施例のマウンタ部材の詳細図である。
【図６】本発明のさらに別の実施例のマウンタ部材の詳細図である。
【図７】従来の簡易コンピュータの機能概念構成図である。
【図８】従来の市販された液晶ディスプレーの背面図である。
【図９】ビス孔を形成してある液晶ディスプレーの背面図である。
【図１０】螺子止め孔を７５ｍｍ及び１００ｍｍ間隔で設けたマウンタ部材の詳細図である。
【図１１】マウンタ部材をマジックテープ（登録商標）で接合した例を示す側面図である。
【図１２】液晶ディスプレーの背面に簡易コンピュータをマジックテープ（登録商標）により直接取り付けた例を示す背面図である。
【図１３】液晶ディスプレーの背面に簡易コンピュータをマジックテープ（登録商標）により直接取り付けた例を示す側面図である。
【図１４】液晶ディスプレーの背面にワンタッチ式のマウンタ部材を取り付けた例を示す側面図である。
【符号の説明】
【００４５】
１０、２０、３０、７０  マウンタ部材
５０  簡易コンピュータ
９０  液晶ディスプレー
９２  スタンド
６１  マジックテープ（登録商標）
【図１】
2007102746.tif 000003
【図２】
2007102746.tif 000004
【図３】
2007102746.tif 000005
【図４】
2007102746.tif 000006
【図５】
2007102746.tif 000007
【図６】
2007102746.tif 000008
【図７】
2007102746.tif 000009
【図８】
2007102746.tif 000010
【図９】
2007102746.tif 000011
【図１０】
2007102746.tif 000012
【図１１】
2007102746.tif 000013
【図１２】
2007102746.tif 000014
【図１３】
2007102746.tif 000015
【図１４】
2007102746.tif 000016